(57)【要約】      （修正有）【課題】ウォーターサーバーに装着することで、ボトル内の水の残量が一目で分かり、またウォーターサーバーをインテリアのように装飾的に利用可能とするウォーターサーバー用照明装置を提供する。【解決手段】水を入れる容器であるボトル１２１を上部に配置し、下部に給水栓を有する本体部１０１を配置した、ウォーターサーバー用の照明装置２０１であって、ウォーターサーバーの本体部の背面に固定するための固定手段と、ウォーターサーバー上部のボトルに光が入射するように発光する照明手段と、該照明手段に供給する電源のオン／オフを切り替えるスイッチ手段とを備えるようにする。【選択図】図３
0003166800.tif 000002
【実用新案登録請求の範囲】
【請求項１】
水を入れる容器であるボトルを上部に配置し、下部に給水栓を有する本体部を配置した、ウォーターサーバー用の照明装置であって、
ウォーターサーバーの本体部の背面に固定するための固定手段と、
ウォーターサーバー上部のボトルに光が入射するように発光する照明手段と、
該照明手段に供給する電源のオン／オフを切り替えるスイッチ手段と
を備えることを特徴とするウォーターサーバー用照明装置。
【請求項２】
請求項１に記載のウォーターサーバー用照明装置において、
前記照明手段は、前記ボトルの上部よりも下部側に多量の光量で光が入射するように配置されていることを特徴とするウォーターサーバー用照明装置。
【請求項３】
請求項１または２に記載のウォーターサーバー用照明装置において、
前記照明手段は、色および光量が時間的に変化する光を発光するものであることを特徴とするウォーターサーバー用照明装置。
【請求項４】
請求項１または２に記載のウォーターサーバー用照明装置において、
前記照明手段は、電源を供給するだけで色が時間的に変化する光を発光するフルカラーＬＥＤであることを特徴とするウォーターサーバー用照明装置。
【考案の詳細な説明】
【技術分野】
【０００１】
本考案は、ウォーターサーバーに装着する照明装置に関する。
【背景技術】
【０００２】
ウォーターサーバーは、料理用や飲料用として利用する水（通常はミネラルウォーター）を入れた貯水タンク（以下「ボトル」という）を上部に設置し、下部の本体部分に設けられた給水栓（蛇口）から前記ボトル内の水を供給できるようにした機器である。ボトル内の水が無くなると、空のボトルを水の満たされたボトルに交換して継続的に利用することができる。本体部分には、ボトル内の水を冷却して供給するための冷却機能、温水にして供給するための加温機能、および浄水機能などを果たす部分が配置されている。
【０００３】
ウォーターサーバーに関し、冷却効果を低下させることなくボトルの装填や取り出しを容易にできるようにする技術として、下記特許文献１，２などに記載の技術がある。また、ボトル側の工夫として、下記特許文献３，４などに記載の技術がある。
【先行技術文献】
【特許文献】
【０００４】
【特許文献１】特開２００８−３７４４５
【特許文献２】特開２００９−７８８６８
【特許文献３】特開２０１０−４２８５９
【特許文献４】実用新案登録第３１５９８４３号
【考案の概要】
【考案が解決しようとする課題】
【０００５】
ウォーターサーバーに関しては、上述の先行技術文献に示されているような技術があるものの、ボトル内の水の残量が一目で分かるようにする工夫は為されていなかった。ボトルは、透明（あるいは薄い色が付いた半透明）の材質で形成されているので、良く見れば水の残量は分かることは当然であるが、透明あるいは半透明の容器内に透明な水が入っているので、少し離れたところから見た場合や、視力の劣る人が見た場合、残量が見にくいことがある。
【０００６】
また、ウォーターサーバーは、基本的に実利的なものであるので、家庭や職場などに配置した場合、それに装飾的な意味を持たせてインテリアのように使用することは全くなかった。
【０００７】
本考案は、ウォーターサーバーに装着することで、ボトル内の水の残量が一目で分かり、またウォーターサーバーをインテリアのように装飾的に利用可能とするウォーターサーバー用照明装置を提供することを目的とする。
【課題を解決するための手段】
【０００８】
上記目的を達成するため、請求項１に係る考案は、水を入れる容器であるボトルを上部に配置し、下部に給水栓を有する本体部を配置した、ウォーターサーバー用の照明装置であって、ウォーターサーバーの本体部の背面に固定するための固定手段と、ウォーターサーバー上部のボトルに光が入射するように発光する照明手段と、該照明手段に供給する電源のオン／オフを切り替えるスイッチ手段とを備えることを特徴とする。
【０００９】
請求項２に係る考案は、請求項１に記載のウォーターサーバー用照明装置において、前記照明手段は、前記ボトルの上部よりも下部側に多量の光量で光が入射するように配置されていることを特徴とする。
【００１０】
請求項３に係る考案は、請求項１または２に記載のウォーターサーバー用照明装置において、前記照明手段は、色および光量が時間的に変化する光を発光するものであることを特徴とする。
【００１１】
請求項４に係る考案は、請求項１または２に記載のウォーターサーバー用照明装置において、前記照明手段は、電源を供給するだけで色が時間的に変化する光を発光するフルカラーＬＥＤであることを特徴とする。
【考案の効果】
【００１２】
本考案によれば、ウォーターサーバーに装着することで、ボトル内の水の残量が一目で分かり、またウォーターサーバーをインテリアのように装飾的に利用することが可能となる。
【図面の簡単な説明】
【００１３】
【図１】ウォーターサーバーの正面図および側面図
【図２】実施形態のウォーターサーバー用照明装置の外観図
【図３】照明装置を装着した際の正面図および側面図
【図４】ウォーターサーバー上部背面の外観図
【考案を実施するための形態】
【００１４】
以下、本考案を実施する一形態例を説明する。
【００１５】
図１は、本考案の一実施形態に係るウォーターサーバー用照明装置を装着する対象であるウォーターサーバーの正面図および右側面図である。１０１はウォーターサーバーの本体部を示す。本体部１０１の正面側には、背面方向に少し奥まったスペースが設けられ、そこに給水栓（蛇口）１１２と、該給水栓から水を出したいときに押すボタン１１１が設けられている。１２１は本体部１０１の上部に設置されたボトルであり、その内部には水が満たされている。１０２はボトルを覆うカバー（天蓋、ボトルフォルダ）である。ボトルを交換する場合は、カバー１０２を取り外し、ボトルを交換して再びカバーを設置する。ボトル１２１は、常温で柔軟な可撓性の素材で形成されたものであり、内部に入れられた水が徐々に少なくなっていくにつれてボトル自体が潰れていくタイプのものとする。また、ボトル１２１とカバー１０２は、透明あるいは半透明の光を通す素材で形成されている。
【００１６】
図２は、本発明の一実施形態に係るウォーターサーバー用照明装置の外観図である。照明装置２０１は、表面の下部に面ファスナー２０２を備えている。２０３はＬＥＤ（発光ダイオード）である。ＬＥＤ２０３は、正三角形の３つの頂点の位置にそれぞれ白色と青色とピンク色のＬＥＤを配置したものを１組として、照明装置２０１の表面上段に２組、中段に３組、下段に４組がそれぞれ配置してある。２０４は多段（オフおよび３段のオン）の切り替えスイッチである。電源については図示していないが、商用電源から電源アダプタを介して本照明装置２０１に電源供給されている。なお、電源は充電池や乾電池から供給するようにしてもよい。
【００１７】
多段スイッチ２０４を切り替えることにより、オフ状態からＬＥＤ２０３を種々の方式で点灯させることができる。多段スイッチ２０４をオフから第１段にセットすると、各組の３つのＬＥＤのうち白色のＬＥＤが点灯し、残りは消灯する。第２段にセットすると、各組の３つのＬＥＤのうち青色のＬＥＤが点灯し、残りは消灯する。第３段にセットすると、各組の３つのＬＥＤのうちピンク色のＬＥＤが点灯し、残りは消灯する。なお、図２は図１のスケールに対して拡大して図示したものである。後述するように、照明装置２０１は、図１のウォーターサーバーの背面側に装着するものであるので、ほぼその程度の大きさをしている。
【００１８】
図３は、図２の照明装置２０１を図１のウォーターサーバーに装着した様子を示す。図４（ａ）は、図１のウォーターサーバーの背面を示す。ウォーターサーバーの背面には、本体部１０１に面ファスナー４０１が取り付けられており、図２の照明装置２０１の面ファスナー２０２を当該面ファスナー４０１に圧着することにより、照明装置２０１をウォーターサーバーの背面に装着する。図４（ｂ）は、装着した様子を示す外観図である。
【００１９】
照明装置２０１をウォーターサーバーの背面に装着した場合、図３（ａ）の正面図では、透明または半透明のボトル１２１とカバー１０２を通して、背面に装着された照明装置２０１が見えている。
【００２０】
図３（ｂ）の側面図において、照明装置２０１の多段スイッチ２０４をオンして上述した何れかの段にセットすることによりＬＥＤ２０３が発光する。その光は矢印Ａに示すようにカバー１０２とボトル１２１に入射する。この入射光によりボトル内が照らされるので、ボトル内の水の残量が非常に見やすくなる。また、ボトル１２１は、可撓性の素材で形成され水が使用されるにつれて潰れていくようになっているので、ボトル１２１の外面は内部の水の量に応じて撓むこととなる。そのため、入射光はボトル１２１および内部の水により乱反射し、周囲に散乱するので、ウォーターサーバーを、発光するインテリアあるいはオブジェのような装飾的なものとして利用することができる。
【００２１】
上記実施形態では、スイッチ操作に応じて単色のＬＥＤを発光させるだけであるので特に回路を必要としないが、装置内部に回路を設けて、ＬＥＤの発光のパターンを種々に変化させるようにしてもよい。例えば、時間的に色や光量を変化させればインテリアとして非常に綺麗である。また、近年では、回路を付加することなく単体のＬＥＤのみで、電源を供給すれば時間的に色が変化して発光するフルカラーＬＥＤが開発されており、そのようなフルカラーＬＥＤを利用すれば、回路を付加することなく時間的な発光色の変化が実現できる。
【００２２】
上記実施形態では、図２で説明したように、３個のＬＥＤの組を、照明装置２０１の表面上段に２組、中段に３組、下段に４組というように、上段側より下段側にＬＥＤを多く配置しているが、これは出来るだけ多くの光を散乱させるためである。ボトル内の水は使用に応じて徐々に減っていくので、ボトル内の水面はボトル上部から徐々に下部（なお、ボトルの上部下部は図１，３のようにボトルを装着した状態における上側と下側を意味する）へと移動していく。その水面の上側と下側とでは、水面の下側の方が水が存在するので散乱する光は多く、水面の上側は水が存在しないので背面の照明装置のＬＥＤがほぼそのまま見えてしまい散乱する光は少ない。そこで、照明装置２０１の下段側から入射する光の光量を多くし、ボトル内の水が少なくなっても出来る限り水が存在するところに多くの光を当てて散乱する光を多くするようにしている。
【００２３】
上記実施形態では、水の使用に応じて徐々に潰れていくタイプのボトルに適用した例を説明したが、潰れていかないタイプのボトルに適用することもできる。ただし、潰れていくタイプのボトルは、潰れていくにつれて外面が撓み不規則なシワのようになるので、入射光をより多く散乱させることができ、インテリアとしての機能は高くなると言える。
【００２４】
上記実施形態では、照明装置２０１をウォーターサーバー本体部１０１の背面に面ファスナー２０２，４０１で装着する例を説明したが、固定手段としては、吸盤、磁石、ネジ止め、および接着剤などの他の手段を用いて良い。また、照明装置２０１はウォーターサーバー本体部１０１の背面に固定したが、カバーに固定するようにしても良い。ただし、カバーに固定すると、ボトルの交換の際に照明装置が装着されたカバーを取り外してボトル交換しなければならず使い勝手が良くないので、カバーを外しても支障が無いように、ウォーターサーバー本体部の背面に固定するのが良い。
【００２５】
上記実施形態では、ボトルを覆うカバーを持つウォーターサーバーを用いたが、本考案に係る照明装置は、カバーを持たないタイプのウォーターサーバーにも適用可能である。その場合もボトルの背後から光を当てるようにすればよい。
【符号の説明】
【００２６】
１０１…ウォーターサーバー本体部、１０２…カバー、１２１…ボトル、１１１…給水ボタン、１１２…蛇口、２０１…ウォーターサーバー用照明装置、２０２，４０１…面ファスナー、２０３…ＬＥＤ（発光ダイオード）、２０４…スイッチ。
【図１】
0003166800.tif 000003
【図２】
0003166800.tif 000004
【図３】
0003166800.tif 000005
【図４】
0003166800.tif 000006